(57)【要約】  内容物が流動性に乏しい場合であっても容易に注ぎ出すことができ、残留内容物を低減することができる、注ぎ口付き包装袋を提供すること。注ぎ口付き包装袋１であって、包装袋１の頂部に設けられた注ぎ口１０の流路１１が、２枚のフィルム２及び３を封止することによって作られた封止区域５ａ及び７によって仕切られ、これら２枚のフィルム２及び３を分離する形状保持部材１２が注ぎ口１０の流路１１内に設けられ；形状保持部材１２が、流路１１の全長に沿ってその両側を仕切る封止区域５ａ及び７の間に間隙１６ａ及び１６ｂを確実に形成し、形状保持部材１２が２枚のフィルム２及び３の１つのフィルム２のみに対して固定されている、注ぎ口付き包装袋。
2009524563.tif 000002
【特許請求の範囲】
【請求項１】
注ぎ口付き包装袋であって、前記包装袋の頂部に設けられた該注ぎ口の流路が、２枚のフィルムを封止することによって作られた封止区域によって仕切られ、これら２枚のフィルムを分離する形状保持部材が該注ぎ口の該流路内に設けられており、
該形状保持部材が、該流路の全長に沿ってその両側を仕切る該封止区域の間に間隙を確実に形成し、該形状保持部材が該２枚のフィルムの１つのみに対して固定されている、注ぎ口付き包装袋。
【請求項２】
該形状保持部材が一方のフィルムに取り付けられる該形状保持部材の取付け区域が、該形状保持部材の長手方向に延びる形状を有する、請求項１に記載の注ぎ口付き包装袋。
【請求項３】
該形状保持部材が、該注ぎ口の該流路に沿った両端において管状の開口となっている、請求項１又は２に記載の注ぎ口付き包装袋。
【請求項４】
該２枚のフィルムが、該形状保持部材の領域内で外向きに膨らむ拡張区域を有する、請求項１〜３のいずれか一項に記載の注ぎ口付き包装袋。
【請求項５】
該拡張区域が内容物格納区域まで延びる、請求項４に記載の注ぎ口付き包装袋。
【請求項６】
該注ぎ口が該包装袋の角部区域に設けられ、該注ぎ口の該流路が該包装袋から上向きの角度に向けられ、該注ぎ口の該流路と交差する方向に開口部を案内する開口部案内ラインが、該注ぎ口の一方の側にある該封止区域に設けられ、該開口部案内ラインの端部区域が、該包装袋の底部側と平行に延び、該開口部案内ラインの該端部区域が、その延長線が該形状保持部材と交差しない位置に設けられる、請求項１〜５のいずれか一項に記載の注ぎ口付き包装袋。
【請求項７】
該開口部案内ラインの該端部区域の該延長線から該形状保持部材までの距離が１〜４ｍｍの範囲内である、請求項６に記載の注ぎ口付き包装袋。
【発明の詳細な説明】
【技術分野】
【０００１】
本発明は、封止区域によって区切られた注ぎ口が包装袋の頂部区域に形成された、注ぎ口付き包装袋に関する。
【背景技術】
【０００２】
近年、プラスチックボトルなどの主要容器に格納された、少量の液体などの内容物が取り出され、使用される際、主要容器の内容物が使い果たされても主要容器は廃棄されるよりは、新しい内容物が再充填されて主要容器が再利用される。包装袋の頂部に注ぎ口を有する注ぎ口付き包装袋は、再充填用内容物を格納する包装袋として使用される。
【０００３】
開口部を開いた状態で常に維持する構造を備え、前側と後側のフィルムを分離すると共に注ぎ口が平らになることを防ぐため、注ぎ口の内部に管が取り付けられた注ぎ口付き包装袋が、一般的に知られている。（例えば、特許文献１及び２を参照）
【特許文献１】特開平５−１３２０６９
【特許文献２】特開平１０−１１９９９２
【発明の開示】
【発明が解決しようとする課題】
【０００４】
しかしながら、従来の注ぎ口付き包装袋では、内容物が粉末又は顆粒などの固体の場合、或いは高粘性液体などの流動性に乏しい製品の場合、内容物が注ぎ口を塞いでしまい、注ぐことが困難になる。
【０００５】
上述のことを考慮して、本発明の１つの目的は、流動性に乏しい内容物であっても容易に注ぐことができ、内容物の残留を低減することができる、注ぎ口付き包装袋を提供することである。
【課題を解決するための手段】
【０００６】
上述の課題を解決するため、本発明は、注ぎ口付き包装袋であって、包装袋の頂部に設けられた注ぎ口流路が、２枚のフィルムを封止することによって作られた封止区域によって仕切られ、これら２枚のフィルムを分離する形状保持部材が注ぎ口の流路内に設けられており、形状保持部材が、流路の全長に沿ってその両側を仕切る封止区域の間に間隙を確実に形成し、形状保持部材が２枚のフィルムの１つのみに対して固定されている、注ぎ口付き包装袋を提供する。
【０００７】
この注ぎ口付き包装袋では、形状保持部材が一方のフィルムに取り付けられる形状保持部材取付け領域は、好ましくは、形状保持部材の長手方向に延びる形状を有する。形状保持部材は、好ましくは、注ぎ口の流路に沿った両端において管状の開口となっている。
【０００８】
２枚のフィルムは、好ましくは、形状保持部材の領域内で外向きに膨らむ拡張区域を有する。拡張区域は、好ましくは、内容物格納区域まで延びる。
【０００９】
注ぎ口付き包装袋はまた、注ぎ口が包装袋の角部区域に設けられ、注ぎ口の流路が包装袋から上向きの角度に向けられ、注ぎ口の流路と交差する方向に開口部を案内する開口部案内ラインが、注ぎ口の一方の側にある封止区域に設けられ、開口部案内ラインの端部区域が、包装袋の底部側と平行に延び、該開口部案内ラインの該端部区域が、その延長線が形状保持部材と交差しない位置に設けられる構造を有してもよい。
【００１０】
開口部案内ラインの端部区域の延長線から形状保持部材までの距離は、好ましくは、１〜４ｍｍの範囲内である。
【発明の効果】
【００１１】
本発明の注ぎ口付き包装袋では、形状保持部材は、流路の全長に沿ってその両側を仕切る封止区域の間に間隙を確実に形成し、形状保持部材は、フィルムの形状保持部材が取り付けられる側を反対側にある他方のフィルムから分離することができ、したがって、注ぎ口の流路を広く開くことができ、効率的に注ぐことが可能である。更に、形状保持部材は、流路内の左右の側両方に揺動することができるので、内容物が注ぎ口の手前で詰まったとしても、内容物を分解して注ぎ口から容易に流出させることができる。更に、形状保持部材を他方のフィルムに対して揺り動かすことによって、フィルムの内面に付着してしまった内容物を取り除くことができるので、内容物が少ないとき、内容物のほぼ全てを残留なしに注ぎ口から注ぎ出すことができる。
【００１２】
形状保持部材と一方のフィルムが取り付けられる形状保持部材取付け区域が、形状保持部材の長手方向に沿って延びる形状（例えば、直線又は波線）を有する場合、形状保持部材取付け区域を中心軸として形状保持部材を左右に動かすことができるので、内容物をより良好に注ぐことができ、残留内容物を最小限に抑える効果を更に高めることができる。形状保持部材が注ぎ口の流路に沿った両端において開口となっている管である場合、流路を開いた状態で維持する機能が良好になり、内容物の流れは容易には妨げられない。更に、形状保持部材をフィルムに取り付ける作業は簡単になり、押出し成形などの効率的な成形作業が可能になるので、コストが有利になる。
【００１３】
注ぎ口を形成した２枚のフィルムが、形状保持部材の領域内において外向きに膨らむ拡張区域を有する場合、流路の断面積はより大きくなり、内容物は注ぎ口の流路に容易に流れ込む。更に、拡張区域が内容物格納区域まで延びる場合、内容物が高粘度の液体であるときに内容物を絞り出すために包装袋の本体に圧力が加えられると、注ぎ口と内容物格納区域の間の境界領域において注ぎ口を形成するフィルムに形成される、内容物が注ぎ口に流れ込むのを妨いで注ぐことを困難にする、しわなどの問題を回避することができる。
【００１４】
本発明の注ぎ口付き包装袋が、注ぎ口が包装袋の角部にあるようにして作成された場合、注ぎ口の流路は包装袋の上向きに角度を成した方向にあり、注ぎ口の流路と交差する方向に開口部を案内する開口部案内ラインが、注ぎ口の一方の側にある封止区域に形成され、開口部案内ラインの端部区域は包装袋の下側縁部に平行に延び、開口部案内ラインの端部区域は、延長線が形状保持部材と交差しないように位置付けられ、したがって、水平な直線状の開口部を開口部案内ラインの端部区域から形成することができる。したがって、再充填するとき、注ぎ口を空の容器に容易に挿入することができる。更に、内容物の流れは開口部区域において無秩序にならず、滑らかな流れを得ることができる。
【発明を実施するための最良の形態】
【００１５】
本発明は、図面を参照しながら好ましい実施形態に基づいて以下に記載される。
【００１６】
図１（ａ）及び（ｂ）に示されるように、この実施形態の注ぎ口付き包装袋１（以下、単に「包装袋」と称される）は、同じ平面パターンを有する２枚の本体フィルム２及び３と、中心線としての折畳み線４ａで半分に折り畳まれた底部フィルム４とを備える、直立型の小袋である。底部フィルム４は、折畳み線４ａが内向きになるように折り重ねられ、一対の本体フィルム２及び３の下側部分の間に置かれる。
【００１７】
側縁部封止区域５ａ及び５ｂは、包装袋１の両方の側縁部上に形成される。側縁部封止区域５ａ及び５ｂの底部フィルム４よりも上にある部分では、本体フィルム２及び３の側縁部区域の両方が互いにヒートシールされ、底部フィルム４が本体フィルム２及び３の間に位置付けられる下側領域では、本体フィルム２及び３の側縁部区域は両方とも、底部フィルム４の側縁部の両方にヒートシールされる。
【００１８】
更に、本体フィルム２及び３と底部フィルム４との互いに向かい合った表面の底縁部区域をヒートシールすることによって、底部封止区域６が包装袋１の底部区域に形成される。ちなみに、切欠（図面からは省略されている）が、底部フィルム４の一部分にあるパンチ穴などから形成され、それによって、一方の本体フィルム２が、この切欠を介して他方の本体フィルム３に直接ヒートシールされてもよい。
【００１９】
包装袋１の寸法は特に制限されないが、再充填容器としては、好ましい範囲は、包装袋の高さ（上部側１ａから底部側１ｂまでの寸法）がおよそ１００〜５００ｍｍ、包装袋の幅（両方の側縁部間の最大幅）がおよそ７０〜３００ｍｍ、内容物の充填容積がおよそ１００ｃｍ３〜５０００ｃｍ３である。
【００２０】
本体フィルム２及び３並びに底部フィルム４に使用されるフィルムは、二軸延伸（biaxially elongated）ポリプロピレン、二軸延伸（biaxially elongating）ポリアミド、又は二軸延伸ポリエステルなどから作られた基材フィルムが、低密度ポリエチレン、直鎖状低密度ポリエチレン、エチレンビニルアセテートコポリマー、又はポリプロピレンなどのポリオレフィン樹脂から作られたシーラント層によって積層された積層体構造など、従来使用されている材料であってもよい。この場合、包装袋の強度を増加させるため、基材フィルムの複数層が積層されてもよい。あるいは、気体及び紫外線に対する遮断性を増加させるため、アルミホイルなどの金属箔、セラミックなどの無機蒸着層、又はエチレンビニルアルコールコポリマーフィルムなども積層されてもよい。更に、包装袋の水平方向での易引裂き性を増加させるため、一軸延伸（uniaxially elongated）ポリオレフィン又はナイロンのフィルムなどが使用される場合、あるいは、６ナイロン又はＭＸＤ６などの芳香族ナイロンがブレンドされている樹脂フィルムを延伸することによって得られる易引裂き性ナイロンフィルムが使用される場合、任意の位置で直線状に引き裂くことができ、且つ易引裂き性を得ることができ、このことは好ましい。
【００２１】
更に、水平方向での易引裂き性を確保するための手段として、基材フィルムにミシン目線が形成され、次にシーラント層又は他の層が付加されてもよく、或いは、レーザービームを使用して、本体フィルムの表面に半切り溝が形成されてもよい。
【００２２】
図１（ａ）に示されるように、注ぎ口１０は包装袋１の頂部に設けられる。この配置では、注ぎ口１０は、包装袋１の上部側１ａと一方の側縁部封止区域５ａ（図１（ａ）では左側）との間の角部１ｃに設けられる。注ぎ口１０が角部１ｃに配置された包装袋１の上部側１ａの側において、本体フィルム２及び３は、一方の側縁部封止区域５ａから延びる頂部封止区域７によって互いにヒートシールされる。包装袋１の注ぎ口１０よりも下の区域は内容物格納区域９である。更に、頂部封止区域７と他方の側縁部封止区域５ｂとの間の区域は充填ポート８として開いたままであり、充填ポート８を通して、内容物を包装袋１の内容物格納区域９に充填することができる。内容物は、粉末又は顆粒などの固体、粘稠な液体、液体、並びにそれらの混合物であってもよい。粉末又は顆粒の粒径は特に制限されないが、例えば、約１μｍ〜５ｍｍの平均粒径が提案されてもよい。粉末は、例えば、粉末洗剤、小麦粉、食卓塩、又は砂糖などであってもよい。
【００２３】
ちなみに、内容物を充填した後、充填ポート８を密閉する（seal shut）ため、充填ポート８の縁部に沿って本体フィルム２及び３を互いにヒートシールすることによって、充填ポート封止区域８ａが包装袋１の上部側１ａに沿って形成される（図３を参照）。
【００２４】
両方の封止区域５ａ及び７の間の未封止区域は、注ぎ口１０のための流路１１を形成する。換言すれば、流路１１は、一方の側縁部封止区域５ａ及び頂部封止区域７によって区切られる。一方の側部封止区域５ａは、注ぎ口１０の下側区域において、包装袋１の内側幅方向に向かって湾曲しており、頂部封止区域７は、流路１１に沿って傾斜した向きで延びる傾斜辺区域７ａを有する。流路１１の方向は、一方の側縁部封止区域５ａの湾曲区域５ｃと、頂部封止区域７の傾斜区域７ａとによって決まり、包装袋１の内部区域から角部１ｃに向かって、包装袋１の上向きに角度を成した方向（図１（ａ）の左上方）に延びる。
【００２５】
注ぎ口１０の流路１１の幅は、包装袋１全体の寸法と、再充填される容器である主要容器などの寸法とに基づいて、おおよそ設計することができる。特定の一例として、注ぎ口１０が開かれる位置における幅（後述される、開口部案内ライン１４ｇの端部区域１４の延長線Ｌに沿った幅）は、好ましくは、１５〜５０ｍｍである。
【００２６】
注ぎ口１０の前端部１０ａは、頂部封止区域７によって閉止されるので、注ぎ口１０が開かれていない限り、内容物が注ぎ口１０から放出されることはない。
【００２７】
管は、注ぎ口１０の流路１１内における形状保持部材１２として、本体フィルム２及び３の間に取り付けられる。このようにして流路１１内に形状保持部材１２を設けることにより、２枚のフィルム２及び３を分離することができ、開いた後の注ぎ口１０の流路１１及び開口部区域１７（図３を参照）を広げた状態で維持することができる。
【００２８】
形状保持部材１２を形成する材料は、ポリエチレン、ポリプロピレン、ポリアミド、ポリエステル、ポリスチレン、又はポリカーボネートなどの合成樹脂であってもよいが、本体フィルム２及び３の内面にあるシーラント層にヒートシールすることによって熱的に接着するため、ポリエチレン又はポリプロピレンなどのポリオレフィン樹脂類が好ましい。
【００２９】
図１（ｂ）に示されるように、本体フィルム２及び３は、形状保持部材１２の周りの領域において外に膨らむ拡張区域１３を有する。この拡張区域１３は、好ましくは、包装袋１を製造するプロセスの間に真空成形又は圧縮空気成形することによって、本体フィルム２及び３に前もって（形状保持部材１２を挿入する前に）形成される。
【００３０】
形状保持部材１２の形状は、円筒、楕円状の円筒、及び正方形などの多角形の断面を有する角のある円筒など、両端が開口になっている管に制限されず、円形、楕円形、三角形、又は四角形などの多角形の断面を有するロッド、並びに、Ｕ字形、Ｈ字形、又はＴ字形の断面を有する部材など、他の様々なシート材が使用されてもよい。形状保持部材１２は、好ましくは、流路１１を塞ぐのを防ぐため、長手方向に固定の断面形状（円筒又はロッドなど）を有するが、内容物の流れを妨げないので、円筒がより好ましく、中でも、あらゆる表面に取り付けることが可能であり、したがってフィルムに取り付けるときの位置決めが簡単なので、円形の円筒が特に好ましい。更に、取付けプロセスの間、形状保持部材の長手方向は、好ましくは、流路１１の方向と整列される。例えば、形状保持部材１２が管（円筒体）である場合、管は、好ましくは、注ぎ口１０の流路１１に沿った向きになる（開口部が上流及び下流方向にある）ように取り付けられる。
【００３１】
形状保持部材１２の寸法は、包装袋１全体の寸法及び注ぎ口１０などの寸法に基づいて、おおよそ設計することができる。特定の一例として、例えば管の場合、長さは約１０〜３０ｍｍであってもよく、外径（長手方向に直交する方向での最大幅）は約８〜２０ｍｍであってもよく、壁厚は約０．３〜２ｍｍであってもよい。
【００３２】
図１及び図２に示されるように、形状保持部材１２は、注ぎ口１０を形成する２つの本体フィルム２および３の一方の本体フィルム２にのみ取り付けられる。図面において、フラグ１２ａは、形状保持部材１２が本体フィルム２に取り付けられる、形状保持部材取付け区域の位置及び形状を示す。形状保持部材取付け区域１２ａは、ホットメルト又は接着剤を使用して形成されてもよいが、ヒートシールを使用することが好ましい。
【００３３】
形状保持部材取付け区域１２ａは、簡単なスポット取付け地点であってもよいが、好ましくは、形状保持部材１２の長手方向に沿って延びる形状であり、この種の形状は、例えば、形状保持部材１２の長手方向に沿って、直線状又は波線状に延びてもよい。或いは、複数の断続的なスポット取付け地点も使用されてもよい。
【００３４】
更に、形状保持部材１２は、封止区域５ａ及び７の間に、流路１１の両側をその全長に沿って区切る間隙１６ａ及び１６ｂを確保する。したがって、これらの間隙１６ａ及び１６ｂを流路１１として使用することができるだけではなく、形状保持部材１２は、形状保持部材取付け区域１２ａが中心にある状態で、流路１１内で前後に（一方の側縁部封止区域５ａに向いた側および頂部封止区域７に向いた側に）移動することができる。
【００３５】
図５に示されるように、開口部を注ぎ口１０の流路１１と交差する方向に案内する開口部案内ライン１４が、頂部封止区域７に形成される。頂部封止区域７に形成される開口部案内ライン１４の開始区域１４ａは、包装袋１の上部側１ａに設けられ、開始区域１４ａは、好ましくは、切欠又はＶ字形の切込みを有し、上部側との角度は好ましくは丸み付けられる。この種の構造では、充填された包装袋が別の物体に接触したときに、不用意に開くことを有効に防ぐことができる。
【００３６】
開口部案内ライン１４は、開始区域１４ａから上部側１ａに垂直に延びる垂直区域１４ｃを有し、垂直区域１４ｃの底部にある曲がり区域１４ｄで方向を変え、流路に沿って上向きの角度で延びる傾斜区域１４ｅを有し、湾曲区域１４ｆで傾斜区域１４ｅから再び方向を変え、また、包装袋１の外側に向かって包装袋１の底部側１ｂに平行に延びる端部区域１４ｇを有する。図３に示されるように、この構造の開口部案内ライン１４を形成することにより、水平方向の直線状開口部区域１７を端部区域１４ｇから形成することができる。したがって、再充填する間、注ぎ口を空の容器に容易に挿入することができる。更に、開口部区域１７における内容物の流れは無秩序にならず、滑らかな流れを得ることができる。
【００３７】
この実施形態の包装袋１の場合、垂直区域１４ｃから傾斜区域１４ｅに沿って端部区域１４ｇまでの区域は、例えばトンプソンブレード（Thompson blade）を使用して作られた、２枚の本体フィルム２及び３を通り抜ける切れ目（貫通痕（penetrating marks））を有する。更に、垂直区域１４ｃの両方の側は、垂直区域１４ｃと開始区域１４ａの間に残っている未切断区域１４ｂによって接続されている。開始区域１４ａの切欠及び垂直区域１４ｃの貫通痕（penetrating marks）などは、好ましくは、互いに対する位置がずれるのを防ぐため、同時に形成される。
【００３８】
未切断区域１４ｂの幅は、本体フィルム２及び３の材料に応じて変わるが、例えば、約０．５〜１．５ｍｍである。ちなみに、未切断区域１４ｂは、必要であれば、開口部案内ライン１４に沿って複数の位置に形成されてもよい。
【００３９】
開始地点１４ａから端部区域１４ｇまでの開口部案内ライン１４全体は、頂部封止区域７内に形成され、注ぎ口１０の流路１１を形成する未封止区域までは延びないので、注ぎ口１０を覆う本体フィルム２及び３の強度は弱くならず、本体フィルム２及び３の引裂けを抑制することができる。
【００４０】
更に、未切断区域１４ｂを引き裂くことにより、垂直区域１４ｃ及び傾斜区域１４ｅに囲まれた区域１５は、頂部封止区域７から引き離されてもよく、包装袋を開くときの保持タブとして使用することができる。このタブ１５を使用することにより、注ぎ口１０を端部区域１４ｇから引き裂き始めるとき、手の引裂き力が本体フィルム２および３に十分に伝達される。
【００４１】
この実施形態の包装袋１を開くとき、最初に、未切断区域１４ｂが切断されて、頂部封止区域７において垂直区域１４ｃ及び傾斜区域１４ｅに囲まれたタブ１５が形成され、次に、このタブ１５が引張られ、開口部案内ライン１４の端部区域１４から引裂けが始まる。それにより、引裂き線が、開口部案内ライン１４の端部区域１４ｇの延長線Ｌ（図１に示される）に沿って延びる。開口部案内ライン１４が形成されている側並びに反対側において側縁部封止区域５ａが破られると、注ぎ口１０の先端１０ａを取り除くことができ、図３に示されるように、注ぎ口１０に開口部区域１７が形成される。
【００４２】
図１に示されるように、開口部案内ライン１４の端部区域１４ｇは、好ましくは、延長線Ｌが形状保持部材１２と交差しないような位置に設けられる。それにより、開口部を端部区域１４ｇの延長線Ｌに沿って容易に作ることができるだけでなく、形状保持部材１２が開口部区域１７から露出しない。
【００４３】
開口部案内ライン１４の端部区域１４の延長線Ｌから形状保持部材１２までの距離ｄ（延長線Ｌに最も近い辺の端部までの距離）は、好ましくは、１〜４ｍｍの範囲内である。それにより、延長線Ｌに沿って開口部を容易に形成することができ、開口部区域１７が閉じることを有効に防ぐことができる。上述の距離ｄが短過ぎる場合、延長線Ｌに沿った開口部が困難になる可能性があるが、距離ｄが長過ぎる場合、開口部区域１７が閉じるのを防ぐことができない可能性がある。
【００４４】
注ぎ口１０が横又は下に向くように、包装袋１が傾けられている場合、内容物を開口部区域１７から注ぐことができる。図３（ａ）に示されるように、端部区域１４ｇの延長線Ｌと一方の側縁部封止区域５ａとの間に形成された角部区域は、開口部区域１７の前縁部１７ａである。一方の側縁部封止区域５ａは、注ぎ口１０の側部区域に湾曲区域５ｃを有し、したがって、湾曲区域５ｃは、空の主要容器（図面には図示なし）の開口部と接触し、これを捕らえ、包装袋１の注ぎ口１０が傾けられたときのガイドとして働く。更に、側縁部封止区域５ａは湾曲区域５ｃにおいて傾けられ、したがって、開口部区域１７の前縁部１７ａは鋭角を成し、注ぎ口１０を空の主要容器の開口部に容易に挿入することができる。
【００４５】
内容物が注ぎ出されると、内容物の流動性が低い場合、内容物は注ぎ口１０の周りに溜まり、内容物の重量によって、フィルム２及び３の間の拡張区域が外に膨らむ。更に、内容物が例えば粉末の場合、開口部区域１７の開口部断面積が注ぎ口１０内部の流路１１の断面積よりも小さいと、注ぎ口１０の周りに溜まっている内容物は、詰まってしまうか、又は塊を形成することがある。
【００４６】
この実施形態の包装袋１の場合、一方の本体フィルム２に取り付けられた形状形成部材１２は、他方の本体フィルム３から分離することができ、したがって、上述の状態は容易には起こらず、上述の状態が起こった場合であっても、形状保持部材１２と他方の本体フィルム３との間に間隙１６ｃが形成されるので、注ぎ口１０の流路１１は図３（ｂ）に示されるように広く開くことができ、有効に注ぐことができる。
【００４７】
更に、流路１１内の形状保持部材１２は、左右方向に前後に移動することができ、したがって、図４に示されるように、注ぎ口１０の周りの領域を包装袋１の外側から揉むことによって、且つ形状保持部材１２を他方のフィルム３に対して擦り合わせることによって、開口部区域１７の前で詰まってしまった、又は塊を形成している内容物を分解することができ、開口部区域１７から容易に注ぎ出すことができ、フィルム２及び３の内面に付着している内容物を形状保持部材１２によって取り除くことができ、最終的な注入作業の間、内容物が注ぎ口１０に残らないようにすることができる。
【００４８】
形状保持部材取付け区域１２ａが、形状保持部材１２の長手方向に沿って直線状に延びる形状を有する場合、形状保持部材が前後に移動する方向は、形状保持部材取付け区域１２ａを用いて中心軸に固定することができ、したがって、形状保持部材１２を有効に前後に移動させることができ、内容物の注入を強化する効果を更に高めることができる。
【００４９】
好ましい一実施形態に基づいて本発明を上記に記載したが、本発明は上述の実施形態に制限されず、本発明の本質に反しない限り、様々な修正が可能である。例えば、本発明において注ぎ口が設けられる位置は包装袋の角部には制限されず、包装袋の上部側の中央区域に設けることもできる。更に、注ぎ口は、前端部が包装袋の上部側から突出する形状を有してもよい。更に、底部フィルムは必ずしも必要ではなく、包装袋は平坦な袋であってもよい。
【００５０】
（好ましい実施形態）
図１に示される形態の注ぎ口付き包装袋１は、以下の手順によって製造された。
【００５１】
積層体材料から作られた三層フィルム（二軸延伸（biaxially elongated）ポリエチレンテレフタレートフィルム／６ナイロンとＭＤＸ  ６ナイロンを混合した樹脂フィルムを延伸することによって得られた易引裂き性ナイロンフィルム／直鎖状低密度ポリエチレン層（シーラント層））を、本体フィルム２及び３に使用し、積層体材料（二軸延伸ナイロン／直鎖状低密度ポリエチレン層（シーラント層））から作られた二層フィルムを、底部フィルム４に使用した。
【００５２】
最初に、圧縮空気成形又は真空成形を使用して、本体フィルム２及び３の予め定められた位置にある内容物格納区域９まで延びるように、拡張区域１３を形成した。低密度ポリエチレンから作られた円筒状の管１２を、この拡張区域１３内で注ぎ口１０の流路１１を形成する位置に挿入し、円筒状の管１２を、直線状のヒートシールによって一方の本体フィルム２に接合した。次に、本体フィルム２及び３を、シーラント層が互いに向き合うように位置付け、シーラント層が外面を形成するようにして半分に折り畳まれた底部フィルム４を、本体フィルム２及び３の間に挿入した。本体フィルム２及び３を底部フィルム４にヒートシールして、底部ヒートシール区域６を形成し、包装袋１の上側角部区域１ｃの１つにおいて流路１１を区切るように、側縁部封止区域５ａ及び５ｂ並びに頂部封止区域７を形成した。
【００５３】
次に、注ぎ口付き包装袋１を完成させるため、トムソンブレード（Thomson blade）を用いて穴開けすることにより、頂部封止区域７に開口部案内ライン１４を形成した。
【００５４】
この実施形態では、包装袋１の高さ（上部側１ａから底部側１ｂまでの寸法）は２４０ｍｍ、包装袋１の幅（両方の側縁部間の最大寸法）は１４０ｍｍ、管１２の長さは２０ｍｍ、管１２の外径は１５ｍｍ、管１２の壁厚は０．５ｍｍ、管１２と本体フィルム２の間のヒートシールの幅は２ｍｍ、側縁部封止区域５ａ及び５ｂの間のヒートシールの幅は５ｍｍ、開口部案内ラインの端部区域１４ｇの延長線Ｌに沿った流路１１の幅は２５ｍｍ、開口部案内ライン１４の端部区域１４ｇの延長線Ｌから管１２の端部までの距離ｄは３ｍｍであった。
【００５５】
注ぎ口付き包装袋１に、充填ポート８から内容物としての粉末を充填した後、注ぎ口付き包装袋１を封止するため、ヒートシールすることによって充填ポート封止区域８ａを形成して、内容物で充填された包装袋（包装済み製品）を作成した。
【００５６】
充填された包装済み製品を使用する際、最初に開口部案内ライン１４の未切断区域１４ｂを切断し、タブ１５を頂部封止区域７から引き出し、次にこのタブ１５を保持して、開口部案内ライン１４の端部区域１４ｇから引き裂き、注ぎ口１０を開くことによって、水平な直線状の開口部区域１７を得ることができ、その前縁部１７ａが鋭角を形成する。本体フィルム２及び３は易引裂き性ナイロンフィルムを使用したので、開口作業は簡単である。
【００５７】
湾曲区域５ｃをガイドとして使用して、注ぎ口１０の前端部１７ａを空の主要容器の注ぎ口に挿入し、粉末洗剤を再充填したとき、注ぎ口１０を滑らかに挿入することができ、注ぎ口付き包装袋１に充填されていた粉末洗剤を全て、主要容器の外にこぼすことなく、主要容器に滑らかに移すことができた。
【００５８】
更に、注ぎ口付き包装袋１を、開口部案内ライン１４の端部区域１４ｇの延長線Ｌから管１２の端部までの距離ｄが約２．５ｍｍであった以外は上述と同じ条件を使用して、図１に示される形状で製造し、粉末洗剤を再充填したとき、粉末洗剤を全て、主要容器の外にこぼすことなく、主要容器に滑らかに移すことができた。
【産業上の利用可能性】
【００５９】
本発明は、様々な産業分野において製品を格納し包装するのに使用することができ、例えば、好ましくは、再充填用の内容物（粉末、顆粒、及び液体など）を格納するための、注ぎ口付き包装袋として使用される。
【符号の説明】
【００６０】
１  注ぎ口付き包装袋（包装袋）
１ｂ  底部側
１ｃ  角部区域
２、３  本体フィルム
５ａ  一方の側縁部封止区域
７  頂部封止区域
９  内容物格納区域
１０  注ぎ口
１１  流路
１２  形状保持部材（管）
１２ａ  形状保持部材取付け区域
１３  拡張区域
１４  開口部案内ライン
１６ａ、１６ｂ  形状保持部材と封止区域の間の間隙
１４ｇ  開口部案内ラインの端部区域
Ｌ  開口部案内ラインの端部区域の延長線
ｄ  開口部案内ラインの端部区域の延長線から形状保持部材までの距離
【図面の簡単な説明】
【００６１】
【図１（ａ）】本発明の注ぎ口付き包装袋の一実施形態を示す正面図、
【図１（ｂ）】図１（ａ）の線Ａ−Ａに沿った長手方向断面図。
【図２】図１（ａ）の線Ｂ−Ｂに沿った注ぎ口の横方向断面図。
【図３（ａ）】開いた状態の図１の注ぎ口付き包装袋を示す部分正面図、
【図３（ｂ）】図３（ａ）の線Ｃ−Ｃに沿った長手方向断面図。
【図４（ａ）】注ぎ口の周りの領域が揉まれている状態を説明する、図１の注ぎ口付きの開いた包装袋の部分正面図、
【図４（ｂ）】形状保持部材が形状保持部材取付け区域を中心として前後に移動されている状態を説明する、注ぎ口の横方向断面図。
【図４（ｃ）】形状保持部材が形状保持部材取付け区域を中心として前後に移動されている状態を説明する、注ぎ口の横方向断面図。
【図５】図１に示される注ぎ口付き包装袋の注ぎ口の周りの領域を示す部分拡大正面図。
【図１】
2009524563.tif 000003
【図２】
2009524563.tif 000004
【図３（ａ）】
2009524563.tif 000005
【図３（ｂ）】
2009524563.tif 000006
【図４】
2009524563.tif 000007
【図５】
2009524563.tif 000008
【国際調査報告】
2009524563.tif 000009
2009524563.tif 000010